(57)【特許請求の範囲】
【請求項１】
被検眼の角膜頂点ならびに隅角領域が含まれる前眼部の断面画像を取得可能な撮影手段を有する眼球撮影装置において、
解析を行なう断面画像を選択する断面画像選択手段と、
前記断面画像を表示する表示手段と、
前記表示手段に表示された断面画像の断面位置の情報を設定する断面位置情報設定手段と、
前記表示手段に表示された断面画像上に基準直線を設定する基準直線設定手段と、
前記隅角領域の特徴的な部位に解析対象点を設定する解析対象点設定手段と、
前記基準直線に対する隅角鏡情報を設定する隅角鏡情報設定手段と、
前記基準直線と交差する角度が前記隅角鏡情報に基づいて決定される前記解析対象点を通る直線を解析用直線として設定する解析用直線設定手段と、
前記解析用直線上に存在する前記断面画像を構成する画素の位置あるいは輝度情報に基づいて前記解析用直線上に所定の組織が存在するか否かについて解析を行なう解析手段を有することを特徴とする眼球撮影装置。
【請求項２】
前記解析手段により取得された解析結果に前記断面位置の情報を関連付けるとともに、前記解析結果を解析対象点が設定された部位別に分類を行なう解析結果分類手段を有することを特徴とする請求項１に記載の眼球撮影装置。
【請求項３】
前記解析結果分類手段により分類された前記解析結果を解析対象点別に数値あるいはグラフィックにより前記表示手段に表示を行なうことを特徴とする請求項２に記載の眼球撮影装置。
【請求項４】
被検眼の角膜頂点ならびに隅角領域が含まれる前眼部の断面画像の解析を行なうプログラムが記録されているコンピュータで処理可能な記録媒体において、
解析を行なう断面画像を選択するステップと、
選択された前記断面画像の断面位置の情報を設定するステップと、
前記断面画像内に基準直線を設定するステップと、
前記隅角領域の特徴的な部位に解析対象点を設定するステップと、
前記基準直線に対する隅角鏡情報を設定するステップと、
前記基準直線と交差する角度が前記隅角鏡情報に基づいて決定される前記解析対象点を通る直線を解析用直線として設定するステップと、
前記解析用直線上に存在する前記断面画像を構成する画素の位置あるいは輝度情報に基づいて前記解析用直線上に所定の組織が存在するか否かについて解析を行なうステップを実行することを特徴とするコンピュータで処理可能な記録媒体。
【請求項５】
被検眼の角膜頂点ならびに隅角領域が含まれる前眼部の断面画像の解析を行なうコンピュータで処理可能なプログラムにおいて、
解析を行なう断面画像を選択するステップと、
選択された前記断面画像の断面位置の情報を設定するステップと、
前記断面画像内に基準直線を設定するステップと、
前記隅角領域の特徴的な部位に解析対象点を設定するステップと、
前記基準直線に対する隅角鏡情報を設定するステップと、
前記基準直線と交差する角度が前記隅角鏡情報に基づいて決定される前記解析対象点を通る直線を解析用直線として設定するステップと、
前記解析用直線上に存在する前記断面画像を構成する画素の位置あるいは輝度情報に基づいて前記解析用直線上に所定の組織が存在するか否かについて解析を行なうステップを実行することを特徴とするコンピュータで処理可能なプログラム。
【発明の詳細な説明】
【技術分野】
【０００１】
本発明は、眼科分野にて使用される前眼部の断面を撮影可能な装置により取得された複数の断面画像に基づいて、隅角鏡において観察される被検眼隅角領域の見え方をシミュレートして、緑内障と密接に関係する閉塞隅角症の評価において参考となる情報の取得を行なう方法ならびにそれを利用した装置・記憶媒体及びプログラムに関する。
【背景技術】
【０００２】
眼科分野で取扱われる病気のひとつに緑内障がある。緑内障は、房水と呼ばれる眼球内を循環する液体の排出が悪化することで眼球内の圧力上昇を引き起こし、それにより圧迫された視神経に障害を及ぼす病気である。房水の排出を悪化させる要因は様々であるが、循環経路が狭くなることも原因のひとつにあげられる。
【０００３】
図１は眼球１０の概略を示したものである。眼球１０内を循環した房水は、領域Ａとして示される前眼部を経て排出される。図２は前眼部を拡大して示したもので、角膜１１、強膜１２、虹彩１３、水晶体１４等に代表される組織により構成されている。特に、領域Ｂで示される角膜１１ならびに強膜１２の内面と虹彩１３により挟まれた領域は隅角と呼ばれる。図３は、隅角領域（図２の領域Ｂ）を拡大して示したものである。房水のほとんどは、強膜岬ＳＳ（強膜１２と虹彩１３の境界）とシュワルベ線ＳＬ（角膜１１と強膜１２の境界）の間に存在する線維柱帯ＴＭと呼ばれる部位から排出されるため、従来から隅角領域の観察は緑内障の重要な検査項目にあげられている。非特許文献１には、発症の要因が多岐にわたる緑内障の治療に反映させるため、症状毎に詳細に分類するための基準が数多く定められており、その中には隅角の観察所見に基づいて分類を行なうものも挙げられている。
【０００４】
隅角の観察には、隅角鏡と呼ばれる検査用コンタクトレンズが広く利用されている。図４は、間接観察型として分類される隅角鏡の基本的な構造を示したもので、筐体２１の内部は本体２３と１あるいは複数の傾斜したミラー２２により構成されている。ミラー２２の傾斜は、隅角鏡の中心軸を眼球１０の中心に合わせた際に線維柱帯ＴＭ近傍の像が観察されるように、観察面Ｐvに対して角度θMの位置関係で配置されている。また、本体２３は光透過性が高い光学部材であり、括弧書きのｎgは部材の屈折率である。隅角の観察時に眼球１０の角膜１１に接触される接触面Ｐcは、図４でＲgとして示される半径の眼球面に沿う曲面とされている。ここで、図４に示されるＤgは隅角鏡の接眼部の直径である。ミラー角度θM、接触面Ｐcの曲面半径Ｒg、ならびに接眼部の直径Ｄgは、メーカーあるいは組み込まれるミラーの枚数等により様々な仕様のものが準備されている。
【０００５】
図５は、観察時の隅角鏡と眼球１０の位置ならびに観察光線の関係を示している。隅角領域の像は、図５（ａ）に示した直線ＶＢ’に沿って進み、ミラー２２によって隅角鏡の中心軸に平行な方向に反射されて観察光線ＶＢとして観察者に導かれる。このとき、ミラー２２にはＰv’とθαの角度をなす方向から観察像が入射する。Ｐv’は観察面Ｐvと平行の関係であるため、θαとθMは以下の関係があることが幾何学的に導かれる。
【数１】
0005240999.tif 000002
従って、観察対象となる部位の位置とθMが特定されることにより、ＶＢとして観察される光線の観察部位からミラー２２までの経路に相当する直線ＶＢ’が導き出されることになる。しかしながら、角膜と隅角鏡の境界等における屈折により、眼球１０の内外の観察光線の経路を同一直線によって表すことはできない。図５（ｂ）は、角膜と隅角鏡の接眼面における屈折の影響を示したものである。図５（ａ）に示すＶＢのように、観察面Ｐvに対して垂直方向に進行する光線は、ミラー２２に入射する角度がθαのものに限定される。しかしながら、角膜１１と隅角鏡２１の境界における屈折の影響を受け直線ＶＢ０に沿って進行する光線は、観察部位ＣＰを通過しない直線ＶＢ０’に沿って点Ｑ０に到達したものであるため、ミラー２２に入射する角度がθαであるが観察面Ｐvに観察部位ＣＰの像を導くものではない。観察面Ｐvに向けて観察部位ＣＰの像を導く光線は、観察部位を通過した光線が屈折によりミラー２２に角度θαで入射するようになったもので、図５（ｂ）では観察部位ＣＰならびに点Ｑを通る直線が該当する。この直線は、前述のミラー角度θＭの他に隅角鏡の形状や角膜１１の曲率等の情報に基づいて特定することが可能であり、手順については実施例にて述べる。
【０００６】
近年では、光学あるいは超音波を利用して隅角近傍の撮影を行ない、撮影された画像による観察を可能な装置が様々なメーカーから提供され、診断において有益な情報の取得に利用されているが、隅角鏡は前述の撮影装置と比較して非常に安価であり、依然として世界的に広く利用されている。しかしながら、隅角鏡を眼球１０に対して常に同じ位置に保持することは不可能であり、観察者が異なる場合のみならず同一の観察者による観察においても眼球１０と隅角鏡の位置関係によって観察結果にばらつきを生じる問題がある。
【０００７】
前述の隅角近傍の撮影を行なう装置には、断層像の撮影で従来から利用されている超音波を高周波にすることにより、取得される画像の解像度を向上させ、隅角近傍の観察を可能にした超音波顕微鏡（ＵＢＭ）と呼ばれるものが登場している。
【０００８】
また、特許文献１には、被検眼の角膜頂点を通るスリット投影光軸を回転軸とし、シャインプルークの原理に基づいて構成された光学系を回転させて眼球断面の撮影を行なうと同時に撮影位置を特定するために回転角情報を取得し、撮影された複数の断面画像を回転角情報に基づいて関連付けを行ない、水晶体内の混濁等の位置を３次元的に把握可能とする装置が示されている。図６は、光学系を回転させた撮影における撮影位置（切断面）と撮影画像の関係を示しており、図６（ａ）、（ｂ）は前眼部を構成する角膜１１、強膜１２、水晶体１４を正面及び側面から眺めた状態、図６（ｃ）〜（ｅ）は図６（ａ）に示される角膜１１の頂点Ｐを通り角度が異なるＣ１−Ｃ１〜Ｃ３−Ｃ３のそれぞれの位置において撮影された断面画像を示している。角膜１１の頂点Ｐを通る断面が撮影された画像は図６（ｃ）〜（ｅ）に示されるように、撮影位置が移動されても撮影範囲に含まれる前眼部がほぼ同じ大きさであるため、取得される画像もほぼ同じ大きさになっている。ここで、Ｃ１−Ｃ１が基準面として設定されている場合、Ｃ２−Ｃ２及びＣ３−Ｃ３の位置で撮影された画像の回転角情報はそれぞれ４５°、９０°となる。
【０００９】
さらに、特許文献２には光干渉を利用して対象物断面を高解像度で撮影可能な光干渉断層像撮影装置（ＯＣＴ）により撮影された被検眼の眼底領域の断面画像から３次元画像を構築する技術が開示されている。特許文献２に示されているＯＣＴは眼底領域を撮影対象とする装置であるが、隅角領域を含む前眼部を撮影対象としたＯＣＴも登場しており、特許文献１に開示された装置より高解像度の隅角領域の断面画像が取得可能になっている。図７は、ＯＣＴにおいて採用されている撮影における撮影位置（切断面）と撮影画像の関係を示しており、図７（ａ）、（ｂ）は前眼部を構成する角膜１１、強膜１２、水晶体１４を正面及び側面から眺めた状態、図７（ｃ）〜（ｅ）はＣ１’−Ｃ１’〜Ｃ３’−Ｃ３’のそれぞれの位置において撮影された断面画像を示している。撮影された画像は図７（ｃ）〜（ｅ）に示されるように、角膜１１の頂点Ｐを通るＣ１’−Ｃ１’に平行である撮影位置を直線的に移動させたＣ２’−Ｃ２’及びＣ３’−Ｃ３’の位置で撮影された画像は、眼球の周辺部に移動するのに伴い、撮影範囲に含まれる前眼部が小さくなり、取得される画像に隅角領域が含まれなくなくなるため、このままでは隅角領域の観察に利用可能な画像は、Ｃ１’−Ｃ１’のごく近傍において撮影されたもののみになってしまう。しかしながら、図７（ａ）に示されるＣ０’−Ｃ０’からＣ４’−Ｃ４’の範囲で上下方向に移動しながら撮影された画像に、特許文献１に記載されている回転角情報に該当する撮影位置の上下方向の撮影位置に関する位置情報を関連させることにより、３次元的な画像データを構築可能であり、構築された３次元的な画像データから図６（ｃ）〜（ｅ）と同様な断面画像を任意方向で抽出することが可能である。
【００１０】
なお、特許文献１あるいは特許文献２に示される装置は、眼球に非接触で撮影を行なうことが可能であるものが多くのメーカーから提供され、その中には眼球と装置の位置合わせ及び撮影を自動で行なうために、眼球と装置の位置関係を検出する手段を設けている装置も少なくない。このような装置は、眼球（被検者）に対する負担を軽減するとともに、装置の操作者の熟練度に影響されない安定した画像の取得を実現している。
【００１１】
しかしながら、前述の非特許文献１に記載されている隅角の観察に関わる基準においては、隅角鏡を使用して行なった観察に基づいて分類を行なうことと定められている。従って、前述の撮影装置が眼球に負担を軽減するとともに、操作者の熟練度の影響を受けることなく安定した隅角領域の観察が可能であるにも関わらず、非特許文献１に準じるために隅角鏡による観察を別に行なっているのが現状である。
【特許文献１】特開２００３−１１１７３１号公報
【特許文献２】特開２００７−１１７７１４号公報
【非特許文献１】日本緑内障学会，「緑内障診断ガイドライン（第２版）」，日眼会誌，２００６年，１１０巻，１０号，７７７−８１４頁
【発明の開示】
【発明が解決しようとする課題】
【００１２】
本発明は、上記の事情に鑑みて為されたもので、その目的とするところは、前眼部の断面画像を利用して隅角鏡検査、具体的には間接観察式の隅角鏡検査と同様な評価を可能とする前眼部断面画像の解析方法及び前眼部撮影装置、その記録媒体及びその処理プログラムを提供することを課題とする。
【課題を解決するための手段】
【００１３】
上記課題を解決するために、本発明は以下の構成を備えることを特徴とする。
【００１６】
請求項１に記載の前眼部断面画像解析装置は、被検眼の角膜頂点ならびに隅角領域が含まれる前眼部の断面画像を取得可能な撮影手段を有する眼球撮影装置において、解析を行なう断面画像を選択する断面画像選択手段と、前記断面画像を表示する表示手段と、前記表示手段に表示された断面画像の断面位置の情報を設定する断面位置情報設定手段と、前記表示手段に表示された断面画像上に基準直線を設定する基準直線設定手段と、前記隅角領域の特徴的な部位に解析対象点を設定する解析対象点設定手段と、前記基準直線に対する隅角鏡情報を設定する隅角鏡情報設定手段と、前記基準直線と交差する角度が前記隅角鏡情報に基づいて決定される前記解析対象点を通る直線を解析用直線として設定する解析用直線設定手段と、前記解析用直線上に存在する前記断面画像を構成する画素の位置あるいは輝度情報に基づいて前記解析用直線上に所定の組織が存在するか否かについて解析を行なう解析手段を有することを特徴とする。
【００１７】
請求項２に記載の前眼部断面画像解析装置は、前記解析手段により取得された解析結果に前記断面位置の情報を関連付けるとともに、前記解析結果を解析対象点が設定された部位別に分類を行なう解析結果分類手段を有することを特徴とする。
【００１８】
請求項３に記載の前眼部断面画像解析装置は、前記解析結果分類手段により分類された前記解析結果を解析対象点別に数値あるいはグラフィックにより前記表示手段に表示を行なうことを特徴とする。
【００１９】
請求項４に記載の記録媒体は、被検眼の角膜頂点ならびに隅角領域が含まれる前眼部の断面画像の解析を行なうプログラムが記録されているコンピュータで処理可能な記録媒体において、解析を行なう断面画像を選択するステップと、選択された前記断面画像の断面位置の情報を設定するステップと、前記断面画像内に基準直線を設定するステップと、前記隅角領域の特徴的な部位に解析対象点を設定するステップと、前記基準直線に対する隅角鏡情報を設定するステップと、前記基準直線と交差する角度が前記隅角鏡情報に基づいて決定される前記解析対象点を通る直線を解析用直線として設定するステップと、前記解析用直線上に存在する前記断面画像を構成する画素の位置あるいは輝度情報に基づいて前記解析用直線上に所定の組織が存在するか否かについて解析を行なうステップを実行することを特徴とする。
【００２０】
請求項５に記載のプログラムは、被検眼の角膜頂点ならびに隅角領域が含まれる前眼部の断面画像の解析を行なうコンピュータで処理可能なプログラムにおいて、解析を行なう断面画像を選択するステップと、選択された前記断面画像の断面位置の情報を設定するステップと、前記断面画像内に基準直線を設定するステップと、前記隅角領域の特徴的な部位に解析対象点を設定するステップと、前記基準直線に対する隅角鏡情報を設定するステップと、前記基準直線と交差する角度が前記隅角鏡情報に基づいて決定される前記解析対象点を通る直線を解析用直線として設定するステップと、前記解析用直線上に存在する前記断面画像を構成する画素の位置あるいは輝度情報に基づいて前記解析用直線上に所定の組織が存在するか否かについて解析を行なうステップを実行することを特徴とする。
【発明の効果】
【００２１】
以上のような構成とすることにより、眼球の前眼部断面の画像を利用して隅角鏡による観察の対象となる部位の視認性を擬似的に評価可能となるため、隅角鏡による観察を重点的に行なう領域の決定や、隅角鏡による観察の要否を判断する上で参考となる情報を診察医に予め提供することが可能となる。
【発明を実施するための最良の形態】
【００２２】
以下、本発明を更に具体的に明らかにするために、本発明の実施形態について、図面を参照しつつ、詳細に説明する。
【実施例１】
【００２３】
図８は本発明の第１の実施形態である超音波により眼球断面画像を取得する眼球撮影装置の外観を示したものである。なお、一般的には超音波による画像を取得することを「撮影」と表現することは行なわれていないが、対象物により反射されて受信された超音波エコー信号の強度を輝度に反映している画像データは、ＣＣＤ等の受光手段を利用する光学的な撮影装置により取得される画像データと同等の情報を有しているため、本明細では超音波による画像の取得についても「撮影」と記載する。
【００２４】
眼球撮影装置１００は、本体内部に装置の制御等に必要な回路（図示せず）、断面画像や解析結果等を表示する液晶ディスプレイ１０８、装置の操作や解析に必要な情報を入力する回転ツマミ１０６及びタッチパネル１０７、解析結果等を印刷するプリンタ１１０、及び超音波を送受信して撮影するプローブ１０４を備え、本体とプローブ１０４は接続コネクタ１０５を介して接続される。
【００２５】
プローブ１０４の内部には超音波の送受信を行なう探触子ならびに駆動機構（図示せず）が設けられ、探触子を直線あるいは摺動駆動させて超音波信号を２次元的に送信可能とされている。また、探触子の送信周波数及び駆動範囲の変更により超音波信号の送受信範囲が変化するため、探触子と駆動機構が異なる別のプローブ１０４’を接続コネクタ１０５において差替えることにより、図１〜図３に示される範囲の画像が撮影可能となる。例えば、送信される周波数が低いほど超音波は遠くまで伝播するため、周波数が１０ＭＨｚ程度である場合は図１に示す眼球１０全体を撮影可能であるが、周波数が５０ＭＨｚまで高くなると水晶体１４の表面付近までしか伝播しないため、撮影範囲は図３に示す程度に狭くなってしまう。しかしながら、周波数を高くすることにより撮影される画像の解像度は向上するため、精密な検査を行なうためには周波数を高く設定する方が有効である。ここで、探触子の周波数切換え及び駆動制御は従来から数多く開示されている技術を利用して実現される。さらに、タッチパネル１０７は液晶ディスプレイ１０８の表面に貼付けられており、液晶ディスプレイ１０８の画面に表示される入力項目の表示エリアに触れることにより、装置の各種操作が可能とされている。
【００２６】
図９は、図８の眼球撮影装置１００の概略構成を示したものである。装置全体の駆動ならびに制御を行なう制御回路１０１には、解析等を行なう演算回路１０２、画像あるいは解析結果等を記憶するメモリ１０３、ならびに図８に示されている入力装置１０６及び１０７、液晶ディスプレイ１０８、プリンタ１１０、プローブ１０４が接続され、図中に示される矢印の方向に制御信号を伝達することにより撮影・画像表示・解析等の各種制御が行なわれる。以上の構成を備える装置の動作について説明する。撮影に際して、検者はタッチパネル１０７から撮影条件の設定あるいは撮影情報等を入力した後、プローブ１０４の駆動信号を入力する。この時、タッチパネル１０７から入力された撮影条件等の情報は制御回路１０１を介してメモリ１０３に記憶され、駆動信号は制御回路１０１に伝達され、制御回路１０１はプローブ１０４内の駆動及び探触子から超音波信号を送信する制御を行なう。検者はプローブ１０４を被検者の眼部に直接あるいは間接的に接触させることにより、被検者の眼球内に超音波信号を照射する。照射された超音波信号は眼球内の様々な組織境界にて反射され、反射信号は探触子において受信される。探触子に受信された反射信号は、制御回路１０１を介して演算回路１０２にて処理され、液晶ディスプレイ１０８に２次元的な画像として表示される。この時、演算回路１０２において処理された画像データはメモリ１０３にも転送され、プローブ１０４の駆動を停止した後も画像データを呼び出して液晶ディスプレイ１０８に表示可能となる。さらに、タッチパネル１０７から表示画像の撮影位置等の情報を入力することで、表示中の画像と関連付けられてメモリ１０３に記憶が行なわれる。ここで、メモリ１０３には、複数の画像データを記憶することが可能である。なお、予め撮影位置等が決定されている場合は、プローブ１０４を駆動して撮影を行なう前の撮影条件等の入力時に合わせて行なってもよい。
【００２７】
図１０は、以上のような手順で図２に示される範囲を撮影した画像を利用して、図３に示すＳＳ・ＴＭ・ＳＬ等の隅角領域の特徴的部位に関する隅角鏡観察の可否についての評価を行なう手順を示したフローである。
【００２８】
Ｓ１において、解析を行なう断面画像を選択する。前述のように、本実施形態の眼球撮影装置１００では、プローブ１０４において受信された超音波信号が演算回路１０２を介して液晶ディスプレイ１０８の他にメモリ１０３にも送られる構成とされている。従って、メモリ１０３に記憶されている画像を呼び出すことにより、過去に取得された画像を解析の対象として選択することも可能であり、操作者は液晶ディスプレイ１０８に表示されている画像とメモリ１０３に記憶されている画像の中から解析を行なう画像を選択する。
【００２９】
続いてＳ２において、撮影時に眼の動き等の影響を受け画像毎に方向が異なる眼球像について、前述のＶＢ’で示される眼球内の観察光線を撮影画像における眼球像の傾斜の影響が排除された条件下で設定するための基準となる基準直線ＢＬを設定する。図１１は、基準直線ＢＬの設定方法の一例を示すもので、装置の位置合わせの基準として一般的に利用される角膜１１の頂点Ｐの法線を基準直線ＢＬとして設定するものである。最初に、図１１（ａ）に示すように、操作者に表示画像内の頂点Ｐの位置を指定させる。指定は、先端が細い棒等で表示画像の該当位置のタッチパネル面を触れる、あるいは、画像に重ね合わせて表示される任意位置に移動可能なカーソルを該当位置に移動させる等で行なう。続いて、図１１（ｂ）に領域Ｄで示す頂点Ｐ近傍の輝度分布を利用して、頂点Ｐから所定距離に位置する角膜１１の表面上の２点（図１１（ｂ）の領域Ｄの両端：ＣＦＬ、ＣＦＲ）を自動的に設定することにより、角膜１１の表面曲面を円ＤＣにて近似することができる。なお、ＣＦＬ及びＣＦＲの指定を角膜１１の頂点Ｐと同様に操作者に行なわせても良い。ここで、図中の直線ＴＬは近似円ＤＣの角膜１１の頂点Ｐにおける接線である。従って、図１１（ｃ）に示すように近似円の中心ＣＣと角膜１１の頂点Ｐを通る直線は、角膜１１の頂点Ｐにおいて接線ＴＬと直交する角膜１１の頂点Ｐの法線に他ならず、この直線を基準直線ＢＬとして設定することができる。図１１（ｄ）は、設定された基準直線ＢＬと表示画面の鉛直線ＶＬの関係を示すもので、角度Δθは表示画面に対する断面画像の傾斜を表すものである。このΔθを打ち消す方向に画像を回転させることで画像を常に同じ方向で表示できるとともに、画面上の位置情報を利用する際に傾斜の影響を排除する処理を容易に行なうことが可能となる。回転の基準は、角膜１１の頂点Ｐ等の基準直線ＢＬ上に存在する点を設定すれば良い。
【００３０】
次にＳ３において、解析対象点の設定を行なう。ここで、解析対象点として隅角領域の特徴的な部位（強膜岬ＳＳ、線維柱帯ＴＭ、シュワルベ線ＳＬ等）を設定する。設定は、前述のＳ２において角膜１１の頂点Ｐを設定したのと同様に、操作者が液晶ディスプレイ１０８に表示される画像の当該部位を指定する。図１２はＳ２において基準直線ＢＬが設定された図１１（ｃ）の領域Ｂ’を液晶ディスプレイ１０８に拡大表示を行なった画像に解析対象点として強膜岬ＳＳを指定した状態を示したものである。拡大表示を行なう理由は、図１１（ａ）〜（ｄ）に示す範囲が表示された画像では隅角領域が小さいため、解析対象点の指定を詳細に行なうには拡大された画像の方が好ましいからである。
【００３１】
Ｓ４では、隅角鏡を用いた観察を仮想するための隅角鏡情報を設定する。ここで設定する情報は、図４に示されるミラー角度θM、接眼面Ｐcの曲面半径Ｒg、接眼部の直径Ｄg、ならびに本体２３の部材の屈折率である。図１３は、隅角鏡情報の入力画面の例であり、操作者は各項目の入力を行なう。
【００３２】
Ｓ５では、Ｓ２〜Ｓ４において設定された情報に基づいて、観察光線の眼球内の光路に相当する解析用直線を設定する。図１４は、図５に示す隅角鏡による観察において、眼球内に設定された解析対象点の観察光線の経路を隅角鏡の接眼面を基準として幾何学的に示したものである。基準を隅角鏡の接眼面としたのは、この位置において観察光線の屈折が生じるためである。図１４において、隅角鏡の接眼面は半円ＧＳに該当し、その中心（Ｏg）を基準０とする２次元座標が設定されている。この２次元座標のＹ軸は断面画像では基準直線ＢＬに該当している。また、点状の円弧で示されるＣＳは角膜の表面であり、円弧ＣＳとＹ軸の交点（Ｐ）は角膜の頂点である。ここで、角膜の頂点Ｐは隅角鏡の接眼面ＧＳに接していると仮定すると、前述の２次元座標の中心は、基準直線ＢＬ上で角膜の頂点Ｐから隅角鏡の接眼面ＧＳの曲率半径の距離分離れた位置に該当することになる。厳密には、角膜の表面の曲率半径Ｒcが隅角鏡の接眼面ＧＳの曲率半径Ｒgより小さい場合、隅角鏡の接眼面ＧＳと角膜の頂点Ｐの近傍では隙間が生じるが、その量はわずかであるため、隅角鏡の接眼面ＧＳと角膜の頂点Ｐは接しているものとして取扱うことが可能である。参考として、ＣＳとＧＳの関係により変化する眼球に対する隅角鏡の当接状態及び前述の２次元座標の基準０を正確に設定する方法を図１５に基づいて説明を行なう。図１５は、ＧＳの半径ＲgとＣＳの半径Ｒcの大小による角膜と隅角鏡の接眼面の当接状態と、隅角鏡の接眼面ＧＳの曲率中心Ｏgと角膜の頂点Ｐの距離関係を示したものである。なお、図１５の各図に記載されているＯｃは角膜の表面の曲率中心である。図１５（ａ）は、Ｒg≧Ｒcの場合を示している。この場合、隅角鏡は角膜の頂点Ｐで眼球と当接することになる。従って、隅角鏡の接眼面ＧＳの曲率中心Ｏgと角膜の頂点Ｐの距離は隅角鏡の接眼面ＧＳの半径Ｒgとなる。図１５（ｂ）は、Ｒg＜Ｒcの場合を示している。この場合は、隅角鏡は角膜の頂点Ｐではなく、接眼部の円環状の稜線（本図ではＰＩ１、ＰＩ２）において眼球と当接することになり、角膜の頂点Ｐと隅角鏡の接眼面ＧＳの間にΔＬの隙間が生じる。従って、隅角鏡の接眼面ＧＳの曲率中心Ｏgと角膜の頂点Ｐの距離はＲg−ΔＬとなる。図１５（ｃ）は、図１５（ｂ）に挙げられた中心線ＣＬの左側に存在する点の関係を表したものである。これらの点によって形成される隅角鏡の接眼面ＧＳと角膜の表面ＣＳに関連づけられる複数の三角形のそれぞれの幾何学的な関係から、Ｒg−ΔＬは以下の式で表わされる。
【数２】
0005240999.tif 000003
従って、角膜の頂点Ｐの位置ならびに角膜の表面の曲率半径Ｒcを特定することで、基準０（Ｏg）を正確に設定することが可能になる。本実施形態においては、Ｓ２の基準直線の設定の過程において、角膜の頂点Ｐの位置及び角膜の曲率半径が特定されているため、そのデータを利用することにより、新規に入力を行なうことが不要となる。Ｒc＝７．７ｍｍ、Ｒg＝７．４ｍｍ、Ｄg＝１２ｍｍの場合、ΔＬは約０．２ｍｍとなり、角膜の頂点Ｐから２次元座標の基準までの距離はおよそ７．２ｍｍとなる。
点Ｑは、解析対象点である点ＶＰを通過する観察光線が図５の直線ＶＢ’と同じθαの傾きとなる屈折を生じる隅角鏡の接眼面ＣＳの位置であり、括弧付で記載されているｎg、ｎcは隅角鏡の本体及び角膜の屈折率を表している。角膜の屈折率ｎcの値は１．３７６が一般的に使用されている。また、涙液、防水等を含む眼球を構成する組織の屈折率はおよそ１．３３〜１．３８と水の屈折率に近いため、本発明においては眼球内の組織の境界における屈折は生じないものとして取扱っている。本ステップにおいて行なう解析用直線の設定はＶＰ・Ｑ間の線分ＡＬを特定することであり、これは点Ｑの位置が決定されることで達成される。基準０と点Ｑを結ぶ直線ＯＱがＸ軸に対して角度θの関係である場合、点Ｑの座標は（Ｒg×cosθ，Ｒg×sinθ）と表わされる。従って、解析対象点ＶＰの座標を（ｘ，ｙ）とすると線分ＡＬのＸ軸に対する傾斜角θβは、
【数３】
0005240999.tif 000004
また、点Ｑでは点Ｐからの光線の入射角θcと（図示しない）隅角鏡のミラーに向かう光線の出射角θgの間にはスネルの法則により、
【数４】
0005240999.tif 000005
の関係が成立する。ここで、入射角θｃ、出射角θｇを前述のθ、θα、θβにより表すと、
【数５】
0005240999.tif 000006
さらに、θαは図５の説明において前述したように隅角鏡のミラー角度θMにより示すことができるため、前述のスネルの法則の式は、
【数６】
0005240999.tif 000007
と表すことができる。上式において、直線ＯＱの角度θ以外の値は、解析対象点ならびに隅角鏡情報としてＳ３ならびにＳ４において設定済のため、θを特定することにより解析用直線である線分ＡＬが導き出される。解析対象点ＶＰの座標（−５．８４,３．８）、想定する隅角鏡のミラー角度θM＝６２°、接眼面の曲率半径Ｒg＝７．４ｍｍ、本体屈折率＝１．５２である場合、θ＝７８．５°と特定されるため、点Ｑの座標（１．４８，７．２５）が導かれる。
【００３３】
Ｓ６では、上述のようにして設定された解析用直線ＡＬを利用して、解析対象点が設定された部位と角膜１１の間に別の組織が存在するか否かについて評価を行なう。図１６は、Ｓ５にて設定された解析用直線ＡＬの解析対象点と基準直線間の画像内に示したものであり、図１７は前述の線分上に存在する画素の輝度分布を示すものである。図１７中の設定輝度は、撮影画像内の組織の境界を識別するための閾値であり、この値は撮影画像全体の輝度分布等に基づいて適宜決定すればよい。例えば、画像内の最大輝度の５０〜９０％で適切と思われる値を選択することや所定値を予め定めておいてもよい。図１６（ａ）及び図１７（ａ）は隅角が正常に開いている状態の例であり、図１６（ｂ）及び図１７（ｂ）は隅角の開きが小さい状態の例である。図１６（ａ）では、解析対象点ＳＳと基準直線ＢＬの間の解析用直線ＡＬは、角膜１１の裏面ＣＰ０以外の組織境界と交差していないため、図１７（ａ）では解析対象点ＳＳと基準直線ＢＬ間で設定輝度を超える領域はＣＰ０近傍を除き存在していない。図１６（ｂ）では、解析対象点ＳＳと角膜１１の裏面ＣＰ０の間に虹彩１３’が存在するため、解析用直線ＡＬは角膜１１以外に虹彩１３’の前面ＣＰ１及びＣＰ２において交差し、図１７（ｂ）において基準直線ＢＬ近傍以外に設定輝度を超える領域として抽出されている。ここで、解析用直線ＡＬにおける基準直線ＢＬ近傍の領域には角膜以外が存在する可能性は低く、角膜１１は光学的にほぼ透明であることから、基準直線ＢＬ近傍の所定領域（例えば基準直線ＢＬから解析用直線ＡＬの１０％の長さ）を除外した輝度分布から、画像が取得された断面の隅角鏡による観察を行なった際の解析対象点の視認性が推測される。以上の手順により、１枚の断面画像について隅角鏡による解析対象点の観察の可否について解析される。
【００３４】
図１８は、Ｓ６の解析による結果を表示する例を示している。この例は、解析の対象とされた画像が取得される断面について、第２行に示す仕様の隅角鏡を用いて観察を行なった場合、６０％の信頼度で強膜岬ＳＳを視認することが可能であることを示すものである。ここで示される信頼度は、解析に用いた画像の解像度（倍率）等の情報を利用して解析結果の信頼性を評価する。例えば、用いた画像の解像度が高い場合は信頼性が高く、解像度が低い画像では信頼性が低くなる。あるいは、Ｓ６の輝度分布の評価における設定輝度値や、前述の設定輝度値を連続的に超える領域の長さ等を総合的に評価して算出しても良い。
【実施例２】
【００３５】
図１９は、本発明の第２の実施形態である前眼部画像解析装置を示したものである。
【００３６】
前眼部画像解析装置２００は解析を行なう制御・解析部２０１、別の前眼部断面画像撮影装置２２０により撮影された画像を取得するための画像データ取得装置２０５、解析に必要な情報等を入力するマウス２０６及びキーボード２０７、断面画像や解析結果等を表示するディスプレイ２０８、プリンタ２１０等により構成されている。制御・解析部２０１は、装置全体の制御を行なう制御回路、解析処理等を行なう演算回路、解析用プログラムや画像データ、演算結果等を記憶する記憶部を含んでいる。制御・解析部２０１は市販のパーソナルコンピュータを利用して構成することができる。また、その他の構成品についても市販のものが利用できる。前眼部断面画像撮影装置２２０により撮影された画像データは、外部記憶媒体等により提供され、画像データ取得装置２０５から取得され、制御・解析部２０１内の記憶部に読込まれる。また、前眼部断面画像撮影装置２２０が通信機能を備えている場合、図示しない通信ケーブル等を介して画像データ取得装置２０５を使用することなく直接制御・解析部２０１内の記憶部に読込むことも可能である。制御・解析部２０１は記憶部に読込まれた画像データをディスプレイ２０８に表示させる。なお、複数の画像データを記憶部に読込むことが可能である場合は、ディスプレイ２０８に画像データの一覧を表示させ、解析を行なう画像データをマウス２０６やキーボード２０７により選択可能にしても良い。
【００３７】
以下に、本実施形態についての説明を、第１の実施形態と同様に図１０のフローに基づいて行なう。本発明において利用可能な画像データは、第１の実施形態に示した角膜の頂点を通る断面を撮影した画像データのみに限定されない。例えば、図７に示すように撮影断面を平行に移動させて連続的に撮影された画像データから構築される３次元的な画像データに対して角膜の頂点の位置を特定すれば、任意位置の断面画像を取得可能である。本実施形態においては、３次元的な画像データを構築可能な断面画像、あるいは、既に構築されている３次元的な画像データを取扱うものとする。なお、図７のように撮影された複数の断面画像に基づいて３次元的な画像データを構築することは、特許文献２に光干渉を利用した眼底の断層撮影装置の画像表示において利用する例が開示されており、詳細な手順についての説明は省略するが、一般的な画像処理技術を用いて行なうことが可能である。
【００３８】
図２０は、光干渉による断層撮影装置に一般的に採用されている撮影機構により取得される複数の画像から構築される、３次元的な画像データを利用して任意方向の断面画像を取得する手順の概要を示すものである。図２０（ａ）は、正面からみた眼球に対する画像の撮影面の位置関係を示している。ここに示す例では撮影は互いに平行で間隔Δｙ毎に設定される撮影面のそれぞれにおいて行なわれ、Ｙ方向として示す下から上にＬ箇所の撮影面が設定されている。ここで、Δｙは撮影装置の仕様により変動し、Δｙが小さいほど高い解像度の画像を撮影可能であり、Ｌの数により撮影範囲が決定される。また、各撮影面における撮影はＸ方向として示す左から右に向かって行われる。図２０（ｂ）は各撮影面において取得される画像の元となる干渉信号の測定位置を行および列の情報として取得する例を示し、Ｘ方向を列、Ｚ方向を行に割り当てている。ここに示す画像はＭ×Ｎ個の干渉信号により構成されている。測定点の間隔ΔｘおよびΔｚは、前述のΔｙと同様に撮影装置の仕様により変動し、ＭあるいはＮの数により撮影範囲が決定される。ここで、Ｘ方向は図２０（ａ）と同一であり、Ｚ方向は図２０（ａ）では紙面の奥行き方向に該当する。それぞれの撮影面では列単位にＸ方向（図の左から右）に干渉信号が取得され、全ての列において干渉信号が取得されるとその撮影面での撮影が完了する。従って、図２０（ａ）に示す撮影面Ｌまで撮影が完了した場合に３次元的に分布するＬ×Ｍ×Ｎ個の干渉信号が取得されることになる。
【００３９】
ここから、本実施形態におけるＳ１の解析画像の選択について述べる。前眼部画像解析装置２００の制御・解析部２０１内の記憶部は、画像データ取得装置２０５から複数の断面画像の読込み及び解析を行なう。なお、前述の３次元的な画像データは任意位置の断面画像の取得が可能（後述）であり、複数の断面画像に該当するものとして取扱うことが可能である。読み込まれた画像データはディスプレイ２０８に表示され、操作者はマウス２０６等により表示された画像の中から解析を行なう画像の選択を行なう。表示された画像データが３次元的な画像データの場合は、角膜頂点ならびに断面方向を指定する入力情報により特定される断面画像が選択されることになる。制御・解析部２０１は、入力された情報に基づいて角膜頂点を含む断面画像を構築する。
【００４０】
図２１は、角膜の頂点Ｐの位置ならびに図２０（ａ）に示す撮影面に対する傾斜角度の情報により設定される断面ＣＰの断面画像を取得する手順を説明するものである。なお、以下の説明においては、装置と眼球の位置関係が変動しない（眼球の動きが無い）状態で図２０（ａ）に示す撮影面１〜Ｌにおける撮影が行なわれ、それぞれの撮影画像の撮影基準は同一であるものとする。
【００４１】
図２１（ａ）は、撮影面に対して角度θγ傾斜して設定される断面ＣＰと各撮影面の画像信号の関係を示している。本例では角膜の頂点Ｐを含む画像として第ｉ番目の撮影面で撮影された画像が特定されている。ここで特定された画像における角膜の頂点ＰのＸ方向位置については、図２０（ｂ）に示すＸ方向の列位置として特定される。ここでは、図２０（ｂ）でＣｏｌ−ｐとして示される第ｐ列が角膜の頂点ＰのＸ方向位置として特定されたものとして説明を行なう。また、ＣｒＬi、ＣｒＬj、ＣｒＬkは、断面ＣＰと撮影面ｉ、ｊ、ｋの交差位置を示している。
【００４２】
図２１（ｂ）〜（ｄ）は、撮影面ｉ、ｊ、ｋで撮影された断面画像における前述の交差位置ＣｒＬi、ＣｒＬj、ＣｒＬkの位置を示している。撮影範囲として示される枠外の左及び下には、横及び縦方向の位置を図２０（ｂ）の行及び列により示してある。ここでは、ＣｒＬi、ＣｒＬj、ＣｒＬkのＸ方向の位置はそれぞれ第ｐ列、第ｑ列、第ｒ列となっている。また、図２１（ｃ）及び（ｄ）のＸＬij、ＸＬikは、ＣｒＬiを基準とするＸ方向の距離を定義したものである。このＸＬijあるいはＸＬikは、前述の列によってそれぞれ以下のように表すことができる。
【数７】
0005240999.tif 000008
しかしながら、上述のように導かれた交差位置の情報は各撮影面における画像についてのものであり、このままでは断面ＣＰの画像を取得できない。ここで、断面ＣＰにおける交差位置ＣｒＬi、ＣｒＬj、ＣｒＬkについて、ＣｒＬiを基準とする距離をそれぞれＬij、Ｌikと定義すると、図２１（ａ）から幾何学的にＸＬij及びＸＬikと以下の関係になることが導かれる。
【数８】
0005240999.tif 000009
これは、ＣｒＬiを基準とする各撮影面のＸ方向の距離は１／cosθγ倍で断面ＣＰへ投影されることを意味している。図２１（ｅ）は、断面ＣＰ上の交差位置ＣｒＬi、ＣｒＬj、ＣｒＬkの関係を示したものである。ここで、交差位置ＣｒＬi、ＣｒＬj、ＣｒＬkにはそれぞれ撮影面ｉの第ｐ列、撮影面ｊの第ｑ列、撮影面ｋの第ｒ列の画像情報が反映されている。従って、撮影面１から撮影面Ｎについて前述の操作を行なうことにより、図２１（ｅ）に点線で示される前眼部断面の画像が取得でき、Ｓ１における解析画像の選択が完了する。この後、ディスプレイ２０８の表示範囲に合わせて倍率変換された画像が表示される。
【００４３】
図２２は、Ｓ２における基準直線の設定を角膜の頂点ではなく、隅角領域に存在する強膜岬を基準として行なう例を示す。これは、本発明において対象とする角膜の頂点を含む断面画像が、円環状に分布する隅角の直径に相当する位置にて取得されることを前提としている。図２２（ａ）に示すように、同一の断面画像内に２点の強膜岬ＳＳ１及びＳＳ２が認められる場合、線分ＳＳ１−ＳＳ２の長さは円環状に分布する強膜岬の直径、ＳＳ１とＳＳ２の中点ＭＰが強膜岬の分布円の中心に該当する。従って、ＳＳ１とＳＳ２の中点ＭＰを通る直線の中でＳＳ１及びＳＳ２の位置情報のみで特定が可能である垂直二等分線を基準直線ＢＬとすることにより、強膜岬ＳＳを含む隅角領域が反映された基準の設定を容易に行なうことが可能となる。ここで、ＳＳ１及びＳＳ２の設定は、第１の実施形態における角膜の頂点Ｐの設定と同様に、表示画像内の任意位置を指定することで行なわれる。図２２（ｂ）は、設定された基準直線ＢＬと表示画面の鉛直線の関係を示すもので、第１の実施形態と同様に画像の回転による表示方向の統一等に利用可能な眼球像の傾斜情報の取得が可能となる。画像の回転基準には中点ＭＰが利用できる。
【００４４】
続いて、Ｓ３の解析対象点の設定を行なうことになる。ここでの設定は、第１の実施形態と同様に表示画像内を指定することは言うまでもなく、Ｓ２において設定したＳＳ１、ＳＳ２の情報をそのまま利用しても良い。
【００４５】
Ｓ４において行なう隅角鏡情報の設定は、図２３に示すような隅角鏡の仕様一覧をディスプレイ２０８に表示して、操作者が想定する隅角鏡を指定することにより、隅角鏡情報の誤入力を防止することが可能となる。指定は、一覧のＮｏ．の直接入力、マウス２０６あるいはキーボード２０７からの入力に連動して一覧表示の任意位置に移動可能なキャラクタ図形を選択する隅角鏡の情報が表示されている行に合わせる等により行なう。なお、隅角鏡情報は制御・解析部２０１に含まれる記憶部に予めデータを登録する、あるいは画像データ取得装置２０５を利用して登録済の情報を読込むことが可能とされている。
【００４６】
以上のＳ１〜Ｓ４において設定された情報に基づいて、第１の実施形態と同様にＳ５の処理を行なうことにより解析用直線ＡＬが設定される。なお、図１５にて示した事情を考慮した２次元座標の基準による処理を行なう場合、画像内の角膜の頂点Ｐの位置と角膜の表面の曲率の設定が必要であるが、基準直線ＢＬの設定において前述の情報を取得した第１の実施形態と異なり、Ｓ４までに未設定である本実施形態においては本ステップの初めに設定を行なうようにする。設定は、第１の実施形態の基準直線ＢＬの設定における手順と同様に、角膜の頂点Ｐの画像内位置の指定は手動にて行ない、角膜の表面の曲率は輝度分布を利用して自動的に行なう。なお、本実施形態においては既に特定済である基準直線ＢＬを利用可能であるため、角膜の頂点Ｐを手動による設定の案内として画面に表示させることや、基準直線ＢＬ上に存在する画素の輝度分布に基づいて角膜の表面の境界が識別される場合は設定を自動で行なうことも可能となる。
【００４７】
続いて、Ｓ６の視認性の解析が行なわれる。第１の実施形態においては解析用直線ＡＬ上に位置する画素の輝度分布によって視認性の評価を行なう例を示されているが、本実施形態では解析対象点の視認に直接影響する虹彩の前面の境界位置を画像の輝度情報により近似曲線として求め、前述の解析用直線との関係により視認性を評価する。この手順について、図２４ならびに図２５に基づいて説明する。
【００４８】
図２４は、表示画面における虹彩の前面の境界位置の特定前後の状態を示している。図２４（ａ）は、境界を特定する範囲をＩＦＬならびにＩＦＲとして設定した状態である。この設定は、前述のＳ２あるいはＳ３と同様に、画像内の任意位置を指定して行なわれる。設定された２点間に存在する虹彩前面の境界位置は輝度情報に基づいて特定され、特定された境界の情報により近似曲線が求められる。図２４（ｂ）は、Ｓ５において求められた解析用直線ＡＬと、輝度情報により求められた近似曲線ＡＣとの関係を示している。解析対象点の視認性は、解析用直線ＡＬと近似曲線ＡＣの交点の有無により評価される。
【００４９】
図２５は、図２４（ａ）に示すＩＦＬならびにＩＦＲの２点間の輝度情報に基づいて虹彩の前面の境界を特定する手順を説明するものである。図２５（ａ）は、図２４（ａ）に領域Ｅとして示す範囲の表示画面の輝度情報を画素毎に示している。ここで、○で表示される画素は所定値以上の輝度を有し、●で表示される画素は所定値以下の輝度であることを示している。なお、この図の左下の画素が図２４（ａ）のＩＦＬに該当する。図２５（ｂ）は、境界位置の特定において輝度情報を取得する画素をグループにした例であり、この例では列単位に連続した７個の画素をグループとしている。なお、画素数の７は例でありこれに限定されるものではない。ここで、基準画素として示される点状の円で囲まれる中央の画素は輝度情報を取得する列が変更された場合に基準となる画素であり、その役割については以下の説明において述べる。
【００５０】
図２５（ｃ）は、図２５（ｂ）に示した画素グループにより取得される輝度情報に基づいて虹彩の前面の境界に位置する画素を特定する方法を示している。ここでは、ｎ列とされる最も左に位置する列から右方向に列を移動させながら境界位置を特定していく様子を示している。なお、○は所定値以上の輝度を有する画素、●は所定値以下の輝度の画素を表す。始めに、ｎ列においてＭ行に位置する基準画素を中心に±３行の画素について輝度情報を取得し、所定値以上の輝度を有する画素の中で最も端に位置する画素を特定する。ただし、全ての画素の輝度が所定値以上あるいは所定値以下である場合は境界の特定が不可としてその列の評価を終了して次の列に移動する。ｎ列は全ての画素が所定値以上の輝度を有するため、境界の特定は行われず次のｎ＋１列に移動する。このとき、境界位置が特定されなかったことにより、基準画素の行位置は前回のｎ列と同じＭ行に設定される。ｎ＋１列の輝度は、所定値以下の輝度の画素がＭ＋１行まで存在しているため、境界位置として点状の四角で囲まれるＭ＋２行の画素を特定して制御・解析部２０１の記憶部に行及び列の情報を記憶する。続いて、ｎ＋２列に移動して同様に輝度情報の取得を行なうのであるが、基準画素の位置は前列において境界位置として特定されたＭ＋２行に設定される。ｎ＋２列においては、境界位置はＭ行の画素として特定される。従って、ｎ＋３列における基準画素はＭ行に設定され、輝度情報によって特定される境界はＭ−２行の画素になる。図２５（ｄ）は、前述の手順を図２５（ａ）の領域ＦについてＩＦＬを開始位置として実施した場合の結果を示したものである。点状の円が各列の基準画素であり、◎は境界として特定された画素である。これを図２４（ａ）のＩＦＲとして設定した画素に至るまで繰返すことにより、ＩＦＬからＩＦＲまでの虹彩の前面の境界を特定される。その後、特定された境界画素の行及び列の情報に基づいて、近似曲線を求めることが可能である。近似曲線の次数は予め設定しておいても、低次から順次上げていき特定された全ての境界画素の位置が所定の誤差範囲に収まる次数を決定しても良い。特定された近似直線ＡＬと解析用直線ＡＬの交点の有無を判別することにより、視認性の評価を行なうことができるのである。
【００５１】
なお、解析対象点を複数設定し、それぞれの解析対象点に対してＳ４〜６を繰り返し行なうことによって、画像内の異なる部位の視認性の評価を一度に行なうことも可能である。図２６はその例を示したもので、図２６（ａ）は正常に開いている隅角、図２６（ｂ）は開きが小さい隅角の画像の強膜岬ＳＳ及びシュワルベ線ＳＬに解析対象点を設定したものである。図２６（ａ）では、強膜岬ＳＳならびにシュワルベ線ＳＬのいずれも観察可能と評価されるが、図２６（ｂ）では、シュワルベ線ＳＬのみが観察可能で強膜岬ＳＳは観察不可能と評価される。ここで、この２点以外にも強膜岬ＳＳとシュワルベ線ＳＬの間の線維柱帯ＴＭにも解析対象点を設定してもよい。
【００５２】
同一の眼球の異なる断面に関わる複数の画像が存在し、それぞれの断面の位置情報と解析結果を関連付けが可能である場合、緑内障の診断においてより有益な情報を取得することも可能となる。図２７は、角膜の頂点を通る軸を回転軸として所定角度毎に移動した断面の画像のそれぞれに設定された解析対象点について解析を行なった結果を一覧可能に表示する例を示している。本例では、角度５°毎に取得された画像に解析対象点として設定された強膜岬ＳＳ、シュワルベ線ＳＬ、および前述の２点の中間に位置する線維柱帯ＴＭの一点の視認性並びに信頼度が表示されている。観察可能と判断された解析対象点は○、観察不可能と判断された解析対象点は×で表示されている。また、図２８に示すように解析を行なった解析対象点の数に対する観察可能とされた数の割合を求めることも可能である。図２８は、図２７と同一のデータについて、観察対象点が設定された部位別に観察可能率を求めた結果を表示するものである。ここで求められている繊維柱帯ＴＭの観察可能率は、非特許文献１において定義されている狭隅角の評価パラメータと同等であり、この値が２５％以下の場合は狭隅角の疑いがあることを推察することが可能となる。さらに、図２９は解析結果をグラフィック的に示す例であり、図２７と同一のデータについて、図２９（ａ）は強膜岬ＳＳ、図２９（ｂ）は強膜岬ＳＳ、シュワルベ線ＳＬ、繊維柱帯ＴＭを対象として取得された観察の可否を、断面画像の取得位置と対応させてプロットしたものである。このような表示を行なうことで、円環状に分布する隅角領域の視認性を２次元的に把握することが可能となる。
【００５３】
以上、本発明の各実施形態について詳述してきたが、かかる実施形態における具体的な記載によって、本発明は、何等限定されるものでなく、当業者の知識に基づいて種々なる変更、修正、改良等を加えた態様で実施可能であり、また、そのような実施態様が、本発明の趣旨を逸脱しない限り、何れも、本発明の範囲内に含まれるものであることは、言うまでもない。
【図面の簡単な説明】
【００５４】
【図１】眼球の前眼部領域を示した図である。
【図２】前眼部の隅角領域を示した図である。
【図３】隅角領域の特徴的な部位を示した図である。
【図４】隅角鏡（間接検査式）の構造を示した図である。
【図５】隅角鏡検査時の眼球と隅角鏡の関係を示した図である。
【図６】撮影位置を回転させた場合の断面画像を示した図である。
【図７】撮影位置を平行移動させた場合の断面画像を示した図である。
【図８】本発明に係わる眼球撮影装置の外観を示した図である。
【図９】本発明に係わる眼球撮影装置のブロック図を示した図である。
【図１０】本発明に係わる処理フローを示した図である。
【図１１】基準直線の設定方法の一例を示した図である。
【図１２】解析対象点の設定方法の一例を示した図である。
【図１３】隅角鏡情報の入力画面の一例を示した図である。
【図１４】断面画像の傾斜による影響を示した図である。
【図１５】断面画像に解析用直線が設定された状態を示した図である。
【図１６】解析用直線上の輝度分布を示した図である。
【図１７】複数の解析用直線が断面画像に設定された状態を示した図である。
【図１８】解析結果を数値により示した例である。
【図１９】本発明に係わる装置の別の構成を示した図である。
【図２０】光干渉を利用した断面画像撮影装置において一般的に採用されている画像データの取得方法の例を示した図である。
【図２１】３次元的な画像を構築する複数の断面画像から任意位置の断面画像を取得する例を示した図である。
【図２２】基準直線の設定方法の他の例を示した図である。
【図２３】隅角鏡情報の入力画面の他の例を示した図である。
【図２４】表示画像に含まれる組織の境界を特定する前後の状態を示した図である。
【図２５】表示画像に含まれる組織の境界を輝度情報に基づいて特定する例を示した図である。
【図２６】複数の解析対象点が設定された断面画像の解析用直線を示した図である。
【図２７】解析結果を数値により示した他の例である。
【図２８】解析結果を数値により示した他の例である。
【図２９】解析結果をグラフィックにより示した例である。
【符号の説明】
【００５５】
１０：眼球
１１：角膜
１２：強膜
１３、１３’：虹彩
１４、１４’：水晶体
２１：筐体
２２：ミラー
１００：眼球撮影装置
１０１：制御回路
１０２：演算回路
１０３：メモリ
１０４、１０４’：プローブ
１０５：接続コネクタ
１０６：回転ツマミ
１０７：タッチパネル
１０８：液晶ディスプレイ
１０９：外部記憶手段
１１０：プリンタ
２００：前眼部画像解析装置
２０１：制御・演算回路
２０６：マウス
２０７：キーボード
２０８：ディスプレイ
２１０：プリンタ
２２０：眼球撮影装置
ＳＳ、ＳＳ１、ＳＳ２：強膜岬
ＴＭ：線維柱帯
ＳＬ：シュワルベ線
ＣＬ：隅角鏡中心軸
Ｐv：隅角鏡観察面
θM：隅角鏡ミラー角度
ＶＢ、ＶＢ’、ＶＢ１、ＶＢｎ：観察光線
ＢＬ：（解析）基準直線
ＡＬ：解析用直線
ＡＣ：（虹彩前面）近似曲線
【図１】
0005240999.tif 000010
【図２】
0005240999.tif 000011
【図３】
0005240999.tif 000012
【図４】
0005240999.tif 000013
【図５】
0005240999.tif 000014
【図６】
0005240999.tif 000015
【図７】
0005240999.tif 000016
【図８】
0005240999.tif 000017
【図９】
0005240999.tif 000018
【図１０】
0005240999.tif 000019
【図１１】
0005240999.tif 000020
【図１２】
0005240999.tif 000021
【図１３】
0005240999.tif 000022
【図１４】
0005240999.tif 000023
【図１５】
0005240999.tif 000024
【図１６】
0005240999.tif 000025
【図１７】
0005240999.tif 000026
【図１８】
0005240999.tif 000027
【図１９】
0005240999.tif 000028
【図２０】
0005240999.tif 000029
【図２１】
0005240999.tif 000030
【図２２】
0005240999.tif 000031
【図２３】
0005240999.tif 000032
【図２４】
0005240999.tif 000033
【図２５】
0005240999.tif 000034
【図２６】
0005240999.tif 000035
【図２７】
0005240999.tif 000036
【図２８】
0005240999.tif 000037
【図２９】
0005240999.tif 000038